(57)【特許請求の範囲】
【請求項１】
補助桟橋、連絡桟橋その他の桟橋、係船ビームその他の係船施設などの各種浮揚構造物を係留杭に係留する場合に用いられる係留装置であって、前記浮揚構造物に平面的に回動させ得る略Ｌ字型のアームを設け、このアームの一端に前記係留杭に当接して押し付け得るローラを取り付けるとともに、前記アームの他端側に、前記アームの他端を押圧して前記ローラを前記係留杭に当接して押し付ける機能と前記押圧を解除させ得る機能とを有する作動機構として横型のジャッキを備え、略Ｌ字型のアームの回動範囲内と回動範囲外との間で前記ジャッキをスライドさせ得るようにしたことを特徴とする浮揚構造物係留装置。
【請求項２】
アームの一端に取り付けられているローラが係留杭に当接する方向とは別の方向から、前記係留杭に当接して押し付け得るローラを、浮揚構造物に対してスライド可能に設けたことを特徴とする請求項１記載の浮揚構造物係留装置。
【請求項３】
アームの一端に取り付けられているローラとは別の方向から、係留杭にローラを当接して押し付ける作動機構として、横型のジャッキを用いることを特徴とする請求項２記載の浮揚構造物係留装置。
【請求項４】
ジャッキとして、ねじを利用したねじジャッキ、ラックを用いたラック駆動ジャッキ、油圧ジャッキのいずれかを用いることを特徴とする請求項１又は３記載の浮揚構造物係留装置。
【発明の詳細な説明】
【技術分野】
【０００１】
本発明は、補助桟橋、連絡桟橋その他の桟橋、係船ビームその他の係船施設などの各種浮揚構造物を係留杭に係留する場合に用いられる係留装置に関するものであって、前記浮揚構造物に平面的に回動させ得る略Ｌ字型のアームを備えていることを特徴とするものである。
【背景技術】
【０００２】
補助桟橋、連絡桟橋その他の桟橋や係船ビームその他の係船施設は、例えば、漁港、港湾内の海底に垂直方向に打設されている係留杭に通常係留されており、それらが係留杭に沿ってスムーズに上下動できるように、前記桟橋や係船施設にはローラが備えられ、このローラを前記係留杭に当接させてある。そして、このローラを前記係留杭に押し付けて前記桟橋や係船施設などの浮揚構造物の動揺を抑制することができるような係留装置が提案されている（例えば、特許文献１、２参照）。
【先行技術文献】
【特許文献】
【０００３】
【特許文献１】特許第２８６３０８６号公報
【０００４】
【特許文献２】特許第３３５４５７８号公報
【０００５】
このような係留装置は、通常、前記浮揚構造物の四隅において２つのローラを互いに直交する方向から１本の係留杭にそれぞれ当接させるようになっている。
【発明の概要】
【発明が解決しようとする課題】
【０００６】
したがって、４本の係留杭から前記浮揚構造物の四隅を全て離脱させるのが非常に厄介である。上述したように、２つのローラを互いに直交する方向から１本の係留杭にそれぞれ当接させるようになっているから、前記浮揚構造物の四隅に取り付けられている係留装置のうちの対角線上にある少なくとも２つの係留装置を取り外さなければ、４本の係留杭から前記浮揚構造物の四隅を全て離脱させることができない。
このような理由から、係留杭に係留されている浮揚構造物を係留杭から外して他の場所に移設する作業が極めて厄介であり、また、前記ローラに掛かっている係留杭押圧力を解除するためにも大きな力を発揮し得る装置（例えば、ジャッキのような装置）を必要とするので、他の場所への移設を前提とする浮揚構造物に、前記形式の係留装置を採用することはできなかった。
【０００７】
このような欠点を解消するためには、４本の係留杭から極めて容易に浮揚構造物の四隅を全て離脱させることができるようにすれば良い。本発明は、このような浮揚構造物係留装置を提供することを目的とするものである。
【課題を解決するための手段】
【０００８】
この目的を達成するために、本発明では、補助桟橋、連絡桟橋その他の桟橋、係船ビームその他の係船施設などの各種浮揚構造物を係留杭に係留する場合に用いられる係留装置であって、前記浮揚構造物に平面的に回動させ得る略Ｌ字型のアームを設け、このアームの一端に前記係留杭に当接して押し付け得るローラを取り付けるとともに、前記アームの他端側に、前記アームの他端を押圧して前記ローラを前記係留杭に当接して押し付ける機能と前記押圧を解除させ得る機能とを有する作動機構として横型のジャッキを備え、略Ｌ字型のアームの回動範囲内と回動範囲外との間で前記ジャッキをスライドさせ得るようにしたものである。
【０００９】
浮揚構造物を係留杭に係留した状態を図１、図２に示す。この状態においては、浮揚構造物の四隅において、前記作動機構が動作し、少なくとも略Ｌ字型のアームの一端に取り付けられているローラを１本の係留杭にそれぞれ当接して押し付けている。したがって、ローラが長い係留杭のいずれの位置においても適度な力で係留杭を絶えず押すように作用し、桟橋や係船施設などの浮揚構造物をスムーズに水位に追従させることができるのみならず、ローラと係留杭との適度な摩擦抵抗により桟橋、係船施設などの浮揚構造物が動揺するのを好適に抑制することができる。
【００１０】
この状態から浮揚構造物の係留状態を解除するべく、前記作動機構としての横型のジャッキを動作させると、図４に示すように、略Ｌ字型のアームを浮揚構造物に対して平面的に回動させることができる。この回動により、適度な力で係留杭を押すように作用していたローラが係留杭から離脱せしめられ、係留状態が解除される。
【００１１】
図４の状態から略Ｌ字型のアームを図２に示すように平面的に回動させ、前記作動機構を再び動作させて前記アームの他端を押圧すると、少なくとも略Ｌ字型のアームの一端に取り付けられているローラを１本の係留杭にそれぞれ当接して押し付けることができ、浮揚構造物を再度係留杭に係留することができる。
【００１２】
このように、ローラが取り付けられている略Ｌ字型のアームを平面的に回動させるとともに、前記アームの他端を押圧して前記ローラを前記係留杭に当接して押し付ける機能と前記押圧を解除させ得る機能とを有する作動機構としての横型のジャッキを動作させるだけで、浮揚構造物の係留とその解除を極めて簡単かつ迅速に行うことができる。
【００１３】
すなわち、図１、図２に示すように、略Ｌ字型のアームの回動範囲内に横型のジャッキが位置しているときには、ローラが取り付けられている略Ｌ字型のアームの他端を前記横型のジャッキで押圧することができ、この場合には、前記ローラが適度な力で係留杭を押すように作用し、前記浮揚構造物を係留杭に極めて簡単かつ迅速に係留することができる。
【００１４】
一方、図１、図２の状態から図４に示すように、横型のジャッキを略Ｌ字型のアームの回動範囲外にスライドさせると、前記アームの他端の押圧が解除されるとともに、同図に示すように、ローラが取り付けられている略Ｌ字型のアームを回動させることができ、この場合には、浮揚構造物の係留状態を極めて簡単かつ迅速に解除することができる。
【００１５】
アームの一端に取り付けられているローラが係留杭に当接する方向とは別の方向から、前記係留杭に当接して押し付け得るローラを、浮揚構造物に対してスライド可能に設けておくのが良い。
【００１６】
このようにした場合には、アームの一端に取り付けられているローラとは別の方向からも、１本の係留杭にローラを当接して押し付けることができる。したがって、浮揚構造物の係留状態を一層安定したものとすることができる。
【００１７】
アームの一端に取り付けられているローラが係留杭に当接する方向とは別の方向から、係留杭にローラを当接して押し付ける作動機構として、横型のジャッキを用いることが望ましい。
【００１８】
アームの一端に取り付けられているローラとは別の方向から、係留杭にローラを当接して押し付ける作動機構として、横型のジャッキを用いると、浮揚構造物の係留とその解除を極めて簡単かつ迅速に行うことができる。
【００１９】
ジャッキとして、ねじを利用したねじジャッキ、ラックを用いたラック駆動ジャッキ、油圧ジャッキのいずれかを用いることができる。
【００２０】
これらのジャッキのうちのいずれかを用いれば、浮揚構造物の係留とその解除を極めて簡単かつ迅速に行うことができる。
【発明の効果】
【００２１】
請求項１記載の発明によれば、横型のジャッキを用いて浮揚構造物の係留とその解除を極めて簡単かつ迅速に行うことができる。
【００２２】
請求項２記載の発明によれば、アームの一端に取り付けられているローラとは別の方向からも、１本の係留杭にローラを当接して押し付けることができるから、浮揚構造物の係留状態を一層安定したものとすることができる。
【００２３】
請求項３記載の発明によれば、横型のジャッキを用いて浮揚構造物の係留とその解除を極めて簡単かつ迅速に行うことができる。
【００２４】
請求項４記載の発明によれば、ねじを利用したねじジャッキ、ラックを用いたラック駆動ジャッキ、油圧ジャッキのいずれかを用いて、浮揚構造物の係留とその解除を極めて簡単かつ迅速に行うことができる。
【図面の簡単な説明】
【００２５】
【図１】本発明による浮揚構造物係留装置を用いて浮揚構造物の一例である浮桟橋を係留杭に係留している様子を示す全体の平面図で、桟橋から浮桟橋に連絡橋を渡し掛けた状態で示す。
【図２】本発明による浮揚構造物係留装置を用いて浮揚構造物の一例である浮桟橋の四隅の１つにおいて、浮桟橋を係留杭に係留している様子を拡大してその一部を示す平面図である。
【図３】図２を右側から見た立面図である。
【図４】図２の状態から浮桟橋の係留状態を解除した様子を拡大してその一部を示す平面図である。
【図５】図４を右側から見た立面図である。
【発明を実施するための形態】
【００２６】
本発明による浮揚構造物係留装置の一例を、図面に基いて詳細に説明する。本発明による浮揚構造物係留装置Ａは、図１に示すように、補助桟橋、連絡桟橋を始めとする各種の桟橋や、浮桟橋、係船ビームを始めとする各種の係船施設などの各種浮揚構造物を、港湾その他の海底に垂直方向に打設した係留杭Ｋに係留する場合に用いるものである。
【００２７】
ここでは、浮揚構造物の一例として浮桟橋を例に挙げ、この浮桟橋Ｂを前記係留杭Ｋに係留する場合について説明する。なお、図１においては、桟橋Ｃから浮桟橋Ｂに連絡橋Ｄが渡し掛けてあり、また、浮桟橋Ｄには遊覧船Ｅと遊魚船Ｆが係船されている状態が示されている。
【００２８】
浮桟橋Ｂは、通常方形状である場合が多く、図１に示すように、その四隅においていずれも１本の係留杭Ｋにそれぞれ係留されるようにしてある。そして、前記浮桟橋Ｂの四隅において、２つのローラ１、１を互いに直交する方向から１本の係留杭Ｋにそれぞれ当接して押し付け得るようになっている。ローラ１は、例えば、合成ゴム製等耐久性ならびに弾力性に富むもので作製されている。ローラ１を合成ゴム製等耐久性ならびに弾力性に富むもので作製すると、衝撃緩和効果（緩衝効果）が向上する。
なお、図１では、浮桟橋Ｂを正方形にした場合が図示されている。
【００２９】
前記浮桟橋Ｂには、垂直方向の軸２ａを中心として平面的に回動させ得る略Ｌ字型のアーム２が設けられており、このアーム２の一端に前記係留杭Ｋに当接して押し付け得るローラ１が回転自在に取り付けられている。そして、前記アーム２の他端側に、前記アーム２の他端を押圧して前記ローラ２を前記係留杭Ｋに当接して押し付ける機能と前記押圧を解除させ得る機能とを有する作動機構Ｇが備えられている。
【００３０】
ここには、この作動機構Ｇとして横型のジャッキ３を用いた場合が例示されている。そして、このジャッキ３を略Ｌ字型のアーム２の他端付近であって、この他端に対して直交する方向に配置し、このジャッキ３の作動により、その先端にある押圧体３ａで略Ｌ字型のアーム２の他端を押圧し、逆に、前記押圧体３ａを引っ込めることにより前記押圧を解除させることができるようにしてある。
なお、前記押圧体３ａの出没は、ジャッキ３に備えられているハンドル３ｂを図の右方向と左方向に回すことにより行うことができる。この人力に替えて、ジャッキ３を動力により自動的に作動させることもできる。
【００３１】
また、略Ｌ字型のアーム２の回動範囲内と回動範囲外との間で、前記ジャッキ３をスライドさせることができるようにしてある。
ここでは、図２〜図５に示すように、ジャッキ３をジャッキプレート４に搭載し、このジャッキプレート４を基台５に沿って、図２の位置から図４の位置に、また、その逆の図４の位置から図２の位置にスライドさせることができるようにしてある。
【００３２】
図１、図２に示すように、略Ｌ字型のアーム２の回動範囲内に横型のジャッキ３が位置しているときには、ローラ１が取り付けられている略Ｌ字型のアーム２の他端を横型のジャッキ３の先端にある押圧体３ａで押圧することができ、この場合には、前記ローラ１が適度な力で係留杭Ｋを押すように作用し、前記浮桟橋Ｂを係留杭Ｋに極めて簡単かつ迅速に係留することができる。
【００３３】
一方、図１、図２の状態から図４に示すように、基台５に沿って横型のジャッキ３をジャッキプレート４とともに略Ｌ字型のアーム２の回動範囲外にスライドさせると、前記アーム２の他端の押圧が解除されるとともに、同図に示すように、ローラ１が取り付けられている略Ｌ字型のアーム２を垂直方向の軸２ａを中心として回動させることができ、この場合には、前記浮桟橋Ｂの係留状態を極めて簡単かつ迅速に解除することができる。
【００３４】
なお、略Ｌ字型のアーム２が図２、図４の位置で固定できるように、略Ｌ字型のアーム２の垂直方向の軸２ａの外側には２つのピン挿入孔２ｂ、２ｃが形成されている。図２に示すように、ピン挿入孔２ｂに固定ピン６を差し込むと、略Ｌ字型のアーム２を同図の位置で固定できる。また、図４に示すように、ピン挿入孔２ｃに固定ピン６を差し込むと、略Ｌ字型のアーム２を同図の位置で固定できる。
【００３５】
前記基台５にはスライド固定用のトグルピン７が備えられており、前記ジャッキプレート４が前記基台５に対して図２の位置にある場合と図４の位置にある場合の二箇所において、トグルピン７をジャッキプレート４と基台５とに差し込むことができ、それぞれの位置でジャッキプレート４を基台５に固定することができる。
このトグルピン７を図２の位置でジャッキプレート４と基台５とに差し込むと、横型のジャッキ３の先端にある押圧体３ａが略Ｌ字型のアーム２の他端を押圧するようにジャッキプレート４を基台５に固定することができる。
【００３６】
逆に、図２の状態からこのトグルピン７を抜くと、基台５上において横型のジャッキ３をジャッキプレート４とともに図の下側にスライドさせることができる。そして、このトグルピン７を図４の位置で再度ジャッキプレート４と基台５とに差し込むと、その位置で基台５にジャッキプレート４を固定することができる。横型のジャッキ３がこの位置にあれば、上述したように、ローラ１が取り付けられている略Ｌ字型のアーム２を垂直方向の軸２ａを中心として回動させることができる。
【００３７】
なお、基台５上において横型のジャッキ３をジャッキプレート４とともに図２、図４の上下方向にスライドさせるために、ジャッキプレート４には連結杆８ａを介してスライドレバー８が連結されている。
したがって、図３の位置から図５の矢印で示すようにスライドレバー８を引っ張ると、基台５上において横型のジャッキ３をジャッキプレート４とともに図４の位置までスライドさせることができ、この場合には、上述したように、ローラ１が取り付けられている略Ｌ字型のアーム２を、垂直方向の軸２ａを中心として図２の状態から図４に示すように回動させることができる。
【００３８】
逆に、図４の位置において略Ｌ字型のアーム２を元の位置（図２の位置）に回動させた後、図５の矢印とは反対の方向にスライドレバー８を押すと、基台５上において横型のジャッキ３をジャッキプレート４とともに図２の位置までスライドさせることができる。そして、その位置で横型のジャッキ３を作動させてその先端にある押圧体３ａを突出させると、上述したように、元の位置に回動せしめられた略Ｌ字型のアーム２の他端を前記押圧体３ａで再び押圧することができ、前記浮桟橋Ｂを係留杭Ｋに極めて簡単かつ迅速に係留することができるようになる。
【００３９】
一方、ここには、浮桟橋Ｂの四隅において、前記略Ｌ字型のアーム２の一端に取り付けられているローラ１が係留杭Ｋに当接する方向とは別の方向から、前記係留杭Ｋに当接して押し付け得るローラ９を、浮桟橋Ｂに対してスライド可能に設けた場合が例示されている。
そして、ここには、ローラ９が前記ローラ１と直交する方向から、前記係留杭Ｋに当接して押し付け得るように配置された場合を例示する。
【００４０】
このようにした場合には、略Ｌ字型のアーム２の一端に取り付けられているローラ１とは別の方向からも、１本の係留杭Ｋにローラ９を当接して押し付けることができる。したがって、浮桟橋Ｂの係留状態を一層安定したものとすることができる。
【００４１】
前記係留杭Ｋにローラ９を当接して押し付ける作動機構Ｇ’として、横型のジャッキ１０を利用することができる。このジャッキ１０を浮桟橋Ｂ上において係留杭Ｋに対して前記ローラ１と直交する方向に配置し、このジャッキ１０の作動により基台１１上のジャッキプレート１２の先端に取り付けたローラ９を基台１１上でスライドさせ、図２に示すように、前記係留杭Ｋに当接して押し付け、逆に、図２の状態から図４に示すように、この押圧が解除され得るようにしてある。
ローラ９は、ローラ１と同様に、例えば、合成ゴム製等耐久性ならびに弾力性に富むもので作製することができる。ローラ９を合成ゴム製等耐久性ならびに弾力性に富むもので作製すると、衝撃緩和効果（緩衝効果）が向上する。
なお、前記ジャッキプレート１２の先端のローラ９の出没は、ジャッキ１０に備えられているハンドル１０ａを図の右方向と左方向に回すことにより行うことができる。この人力に替えて、ジャッキ１０を動力により自動的に作動させることもできる。
【００４２】
横型のジャッキ３及びジャッキ１０として、ねじを利用したねじジャッキ、ラックを用いたラック駆動ジャッキ、油圧ジャッキのいずれかを用いることができる。このようなジャッキのいずれかを用いることにより、浮桟橋Ｂの係留とその解除を極めて簡単かつ迅速に行うことができる。
【００４３】
このように、浮桟橋Ｂの四隅において、前記作動機構Ｇの作動により押圧され、逆に、前記押圧が解除されるアーム２の一端に取り付けられているローラ１と、このローラ１とは別の方向から、前記作動機構Ｇ’の作動により前記係留杭Ｋに当接して押し付け得るローラ９とによって、簡単な構造であるにもかかわらず、そして、廉価であるにもかかわらず、ローラ１とローラ９とが適度な力で係留杭Ｋを絶えず押すように作用し、浮桟橋Ｂを水位に追従させることができるのみならず、ローラ１とローラ９とが係留杭Ｋとの適度な摩擦抵抗により浮桟橋Ｂが動揺するのをより好適に抑制することができる。
【００４４】
なお、浮桟橋Ｕには、フロート（図示しない）が取り付けられており、これらのフロートの浮力により水上ないし海上で浮桟橋Ｂを浮揚させることができる。桟橋Ｃについても同様である。
【産業上の利用可能性】
【００４５】
本発明による浮揚構造物係留装置Ａは、比較的小型の浮桟橋Ｂや桟橋Ｃを始めとする比較的小型の浮揚構造物に用いることができ、例えば、マリーナ、ヨットハーバー等の比較的小型の浮揚構造物に適用すると、極めて効果的である。
【符号の説明】
【００４６】
１、９…ローラ、２…アーム、２ａ…垂直方向の軸、３、１０…ジャッキ、３ｂ、１０ａ…ハンドル、４、１２…ジャッキプレート、Ａ…浮揚構造物係留装置、Ｂ…浮桟橋、Ｃ…桟橋、Ｄ…連絡橋、Ｇ、Ｇ’…作動機構、Ｋ…係留杭。
【図１】
0005456655.tif 000002
【図２】
0005456655.tif 000003
【図３】
0005456655.tif 000004
【図４】
0005456655.tif 000005
【図５】
0005456655.tif 000006